(57)【要約】【課題】本発明は、床材間の膨張吸収隙間を均一に一定に形成しながらの床材敷設作業を効率よく行うことができ、且つ、床材が収縮せんとした場合においては、該膨張吸収隙間が一定以上に広がらないようにした床材接合構造を提供する。【解決手段】内部隙間ｂよりも小さい膨張吸収隙間ａを形成し、更に、該下側突壁２５に形成した上向きストッパー３を、該嵌合突部１１の根元部下面に該下側側面１４と連通して形成した係合凹所４に嵌合すると共に、該上向きストッパー３を該係合凹所４の嵌合突部１１側の前側内側面４１に当接させ且つ該上向きストッパー３と該係合凹所４の後側内側面４２との間に該膨張吸収隙間ａ以上の隙間を形成する。【選択図】  図１
2004238919.tif 000002
【特許請求の範囲】
【請求項１】
雄実と雌実とを嵌合して床材相互を接合する床材接合構造において、雄実の嵌合突部の先端面と雌実の嵌合穴の底部との間に内部隙間を形成し、該嵌合突部の根元部における上側側面及び下側側面と、該嵌合穴を形成する上側突壁の端面及び下側突壁の端面とのそれぞれの間に、該内部隙間よりも小さい膨張吸収隙間を形成し、更に、該下側突壁に形成した上向きストッパーを、該嵌合突部の根元部下面に該下側側面と連通して形成した係合凹所に嵌合すると共に、該上向きストッパーを該係合凹所の嵌合突部側の前側内側面に当接させ且つ該上向きストッパーと該係合凹所の後側内側面との間に該膨張吸収隙間以上の隙間を形成したことを特徴とする床材接合構造。
【請求項２】
上記上向きストッパーを下側突壁の先端部を立ち上げて形成した請求項１記載の床材接合構造。
【請求項３】
上記上向きストッパーを下側突壁の先端部にＶ字溝を形成し、該Ｖ字溝を折り曲げて垂直方向に立ち上げ形成した請求項１記載の床材接合構造。
【請求項４】
上記上向きストッパーを下側突壁の先端部にＶ字溝を形成し、該Ｖ字溝を折り曲げて上記係合凹所の前側内側面方向に傾斜させて立ち上げ形成した請求項１記載の床材接合構造。
【請求項５】
上記雄実と雌実との接合部を長方形床材の長手方向端面に形成した請求項１記載の床材接合構造。
【発明の詳細な説明】
【０００１】
【発明の属する技術分野】
本発明は、隣接して敷設される床材の接合部の構造に関するものであり、特に床材の膨張を吸収して床材間の突き上げを防止でき、しかも、床材間の隙間を均一にして効率よく床材を敷設できる床材接合構造に係るものである。
【０００２】
【従来の技術】
従来、床材接合構造において、隣接する床材間の表面に一定の隙間を形成した床材の実接合構造があった。しかし、該床材の実接合構造は隣接する床材の表面側には隙間があるが裏面側は隙間が無く隣接した床材の裏面側部分が互いに当接していた（例えば、特許文献１参照。）。他の床材接合構造においては隣接する床板主体間にはその表裏面に一定の隙間を形成されるが該床板主体の裏面に貼着された可撓性基材間は、凹凸係合状態の構造になっており、全体としては隣接する床材間には隙間が形成されていなかった（例えば、特許文献２参照）。
【０００３】
【特許文献１】
特開平１０−２０５１０７号公報（第１頁、図１）
【特許文献２】
特開平８−２７０１９３号公報（第１頁、図４、図５）
【０００４】
【発明が解決しようとする課題】
特許文献１の床材の実接合構造は、隣接した床材の裏面側部分を互いに当接させながら床材を敷設していくと床材の表面に形成した隙間が自動的に均一な一定の隙間に維持されるので、床材の敷設作業を効率よく行える。しかし、床材の裏面側部分が互いに当接しているので、床材が膨張したとき該膨張を十分吸収できないという問題があった。特許文献２の床材接合構造においても、特許文献１の床材の実接合構造と同様の特徴と問題点があった。本発明は、床材膨張吸収隙間を一定に形成しながらの床材敷設作業を効率よく行うことができ、且つ、床材が収縮せんとした場合においては、該膨張吸収隙間が一定以上に広がらないようにした床材接合構造を提供することを課題とする。
【０００５】
【課題を解決するための手段】
本発明は、上記課題を解決するために、次のような技術的手段を講じている。すなわち、本発明の請求項１記載の床材接合構造は、雄実と雌実とを嵌合して床材相互を接合する床材接合構造において、雄実の嵌合突部の先端面と雌実の嵌合穴の底部との間に内部隙間を形成し、該嵌合突部の根元部における上側側面及び下側側面と、該嵌合穴を形成する上側突壁の端面及び下側突壁の端面とのそれぞれの間に、該内部隙間よりも小さい膨張吸収隙間を形成し、更に、該下側突壁に形成した上向きストッパーを、該嵌合突部の根元部下面に該下側側面と連通して形成した係合凹所に嵌合すると共に、該上向きストッパーを該係合凹所の嵌合突部側の前側内側面に当接させ且つ該上向きストッパーと該係合凹所の後側内側面との間に該膨張吸収隙間以上の隙間を形成したことを特徴とする。このような構成によって、床材を敷設するとき、上向きストッパーを係合凹所の前側内側面に当接させながら敷設することにより、隣接する床材間に形成する膨張吸収隙間を均一な一定の隙間に維持しつつ床材を効率よく敷設することができ、また、床材が収縮しようとしたとき上向きストッパーが係合凹所の前側内側面に当接してその収縮に抵抗するので膨張吸収隙間が一定以上には広がらないのである。
【０００６】
請求項２記載の発明は、請求項１記載の床材接合構造において、上記上向きストッパーを下側突壁の先端部を立ち上げて形成したものである。この構成により、下側突壁の中間部に上向きストッパーを形成する場合に比較して、該上向きストッパーの形成が容易となり、その強度も安定するのである。
【０００７】
又、請求項３記載の発明は、請求項１記載の床材接合構造において、上記上向きストッパーを下側突壁の先端部にＶ字溝を形成し、該Ｖ字溝を折り曲げて垂直方向に立ち上げ形成したものである。この構成により、上向きストッパーの突出量の選定を容易に行えるのである。また、床材が膨張して、万が一、膨張吸収隙間が無くなった場合に、上向きストッパーが嵌合突部の根元部における下側側面及び係合凹所の後側内側面の両方にあたるので、該当接面積が大きく床材の突き上げをよく防止できる。
【０００８】
更に、請求項４記載の発明は、請求項１記載の床材接合構造において、上記上向きストッパーを下側突壁の先端部にＶ字溝を形成し、該Ｖ字溝を折り曲げて上記係合凹所の前側内側面方向に傾斜させて立ち上げ形成したものである。このような構成によって、長方形床材が膨張したとき、上向きストッパーの前面下縁部が雄実の下側側面に当接するので、長方形床材が膨張したとき、該接合部は下方に下がる傾向にあり、該接合部が突き上がる場合に比較して、膨張による変化が目立ちにくいのである。
【０００９】
更に又、請求項５記載の発明は、請求項１記載の床材接合構造において、上記雄実と雌実との接合部を長方形床材の長手方向端面に形成したものである。長方形床材はその長手方向の伸縮差が短手方向の伸縮差よりも大きいのが一般的であるが、このような構成によって、床材の膨張収縮を良く吸収できる。また、床材の敷設時に、一方の床材をその長手方向に傾斜させて雄実を雌実に嵌合するための作業が容易になる。
【００１０】
【発明の実施の形態】
以下、本発明の好ましい実施の形態について、長方形床材を用いた床材接合構造を図面を参照してより詳細に説明する。図５は長方形床材６を床下地材（図示せず）に敷設したときの状態を示す部分平面図であり、雄実と雌実との接合部７を長方形床材６、６の長手方向端面に形成している。該長方形床材６の短手方向における接合部８にも本発明の床材接合構造を採用してもよいが、本発明においては、該接合部８の構造を限定するものではない。図１は  本発明に係る床材接合構造の一実施例の実接合部における模型的部分断面図であり、一方の長方形床材６の長手方向の接合部７には、雄実１が形成されている。他方の長方形床材６の長手方向の接合部７には雌実２が形成され、雄実１の嵌合突部１１が雌実２の嵌合穴２１に嵌合している。該嵌合突部１１の先端面１２と嵌合穴２１の底部２２との間に内部隙間ｂが形成されている。該内部隙間ｂは実施例においては１ｍｍ以上となっている。又、該嵌合突部１１の根元部における上側側面１３と該嵌合穴２１を形成する上側突壁２３の端面２４との間には膨張吸収隙間ａが形成されている。同時に、該嵌合突部１１の根元部における下側側面１４と該嵌合穴２１を形成する下側突壁２５の端面２６との間には上記と同じ膨張吸収隙間ａが形成されている。該膨張吸収隙間ａは実施例においては、０．２ｍｍないし１．０ｍｍに形成しており、該膨張吸収隙間ａは内部隙間ｂと同じ寸法もしくは小さい寸法にしている。
【００１１】
雌実２の嵌合穴２１を形成する下側突壁２５の先端部には上向きストッパー３が立ち上げ形成されている。上向きストッパー３は図２に示す如く、長方形床材６の裏面に０．１ｍｍないし１．０ｍｍの合成樹脂製のシート又はフィルムからなる裏面シート９が貼着されており、該裏面シート９を残して下側突壁２５の先端部にＶ字溝５を形成し、該Ｖ字溝にメルト、塩ビ等からなる接着剤（図示せず）を塗布し、該Ｖ字溝５の箇所を折り曲げて上向きストッパー３を垂直に立ち上げ立設し、該接着剤が固まるまでロール等で圧締接着するのである。このときのＶ字溝５の内角αは９０度である。図１に示す如く、該嵌合突部１１の根元部下面に、下向きに開口した係合凹所４が形成されており、該係合凹所４の後側内側面４２は雄実１の下側側面１４と面一になっている。該上向きストッパー３の先端部が該係合凹所４に挿入されるとともに、該上向きストッパー３は該係合凹所４の嵌合突部１１側の前側内側面４１に当接している。また、該上向きストッパー３と該係合凹所４の後側内側面４２との間にも該膨張吸収隙間ａが形成されている。
【００１２】
雄実１と雌実２とを嵌合するときは、図３に示す如く、予め敷設された長方形床材６の雌実２の嵌合穴２１に、隣接させる長方形床材６を傾斜させた状態で雄実１の嵌合突部１１を挿入しながら、該傾斜を徐々に緩くしていき最終的に図１に示す嵌合状態にするのである。雄実１の嵌合突部１１が雌実２の嵌合穴２１に嵌合した後に、雄実１側の長方形床材６を図１において左側に移動させることにより、係合凹所４の嵌合突部１１側の前側内側面４１に、上向きストッパー３を確りと当接させるのである。この作業によって、長方形床材６、６間の膨張吸収隙間ａが略均一な寸法となり、該長方形床材６を規則正しく敷設することができるのである。このとき、該上向きストッパー３と該係合凹所４の後側内側面４２との間に該膨張吸収隙間ａが形成される。
【００１３】
図１において、長方形床材６、６が膨張した場合、膨張吸収隙間ａに対し内部隙間ｂが同寸法若しくは大きい寸法になっているので、膨張吸収隙間ａがゼロになるまで、該膨張が該膨張吸収隙間ａによって吸収される。膨張吸収隙間ａがゼロになった状態では、上向きストッパー３の先端側面が係合凹所４の後側内側面４２及び雄実１の下側側面１４の両方に当接してその接触面積が広いので、長方形床材６、６のそれ以上の膨張に対して強い抵抗力を発揮するとともに、該接合部８における突き上げに対しても大きい抵抗力を示すのである。
【００１４】
図１に示す状態において、長方形床材６、６が収縮しようとした場合、上向きストッパー３が、該係合凹所４の嵌合突部１１側の前側内側面４１に当接しているので、該長方形床材６、６は容易には収縮できず、膨張吸収隙間ａが略一定に維持されるのである。
【００１５】
図４は本発明に係る床材接合構造の他の実施例の実接合部における模型的部分断面図である。この実施例は、上記上向きストッパー３を下側突壁２５の先端部にＶ字溝５を形成し、該Ｖ字溝５を折り曲げて上記係合凹所４の前側内側面４１方向に傾斜させて立ち上げ形成したものである。この実施例においては、長方形床材６、６が膨張したとき、上向きストッパー３の前面下縁部が雄実１の下側側面１４に当接するので、該接合部７は下方に下がる傾向にあり、該接合部７が突き上がる場合に比較して、膨張による変化が目立ちにくいのである。
【００１６】
【発明の効果】
以上述べたように、請求項１記載の発明は、雄実１と雌実２とを嵌合して床材相互を接合する床材接合構造において、雄実１の嵌合突部１１の先端面１２と雌実２の嵌合穴２１の底部２２との間に内部隙間ｂを形成し、該嵌合突部１１の根元部における上側側面１３及び下側側面１４と、該嵌合穴２１を形成する上側突壁２３の端面２４及び下側突壁２５の端面２６とのそれぞれの間に、該内部隙間ｂよりも小さい膨張吸収隙間ａを形成し、更に、該下側突壁２５に形成した上向きストッパー３を、該嵌合突部１１の根元部下面に該下側側面１４と連通して形成した係合凹所４に嵌合すると共に、該上向きストッパー３を該係合凹所４の嵌合突部１１側の前側内側面４１に当接させ且つ該上向きストッパー３と該係合凹所４の後側内側面４２との間に該膨張吸収隙間ａ以上の隙間を形成したことを特徴とする床材接合構造であるから、床材を敷設するとき、上向きストッパーを係合凹所４の前側内側面４１に当接させながら敷設することにより、隣接する床材間に形成する膨張吸収隙間ａを均一に一定に維持しつつ床材を効率よく敷設することができ、また、床材が収縮しようとしたとき上向きストッパー３が係合凹所４の前側内側面４１に当接してその収縮に抵抗するので膨張吸収隙間ａが一定以上には広がらないのである。
【００１７】
請求項２記載の発明は、請求項１記載の床材接合構造において、上向きストッパー３を下側突壁２５の先端部を立ち上げて形成したから、下側突壁２５の中間部に上向きストッパーを形成する場合に比較して、該上向きストッパー３の形成が容易となり、その強度も安定するのである。
【００１８】
請求項３記載の発明は、請求項１記載の床材接合構造において、上向きストッパー３を下側突壁２５の先端部にＶ字溝５を形成し、該Ｖ字溝５を折り曲げて垂直方向に立ち上げ形成したから、上向きストッパーの突出量の選定を容易に行えるのである。また、床材が膨張して、万が一、膨張吸収隙間ａがゼロなった場合に、上向きストッパー３が嵌合突部１１の根元部における下側側面１４及び係合凹所４の後側内側面４２の両方にあたるので、該当接面積が大きく床材の突き上げをよく防止できる。
【００１９】
又、請求項４記載の発明は、請求項１記載の床材接合構造において、上向きストッパー３を下側突壁２５の先端部にＶ字溝５を形成し、該Ｖ字溝５を折り曲げて上記係合凹所４の前側内側面４１方向に傾斜させて立ち上げ形成したから、長方形床材６、６が膨張したとき、上向きストッパー３の前面下縁部が雄実１の下側側面１４に当接するので、該接合部７は下方に下がる傾向にあり、該接合部７が突き上がる場合に比較して、膨張による変化が目立ちにくいのである。
【００２０】
更に、請求項５記載の発明は、請求項１記載の床材接合構造において、雄実１と雌実２との接合部７を長方形床材６、６の長手方向端面に形成したから、長方形床材の長手方向の膨張収縮を良く吸収できる。また、床材の敷設時に、一方の床材をその長手方向に傾斜させて雄実を雌実に嵌合するための作業が容易になる。
【図面の簡単な説明】
【図１】本発明に係る床材接合構造の一実施例の実接合部における模型的部分断面図。
【図２】上記実施例における雌実部の製作途中における部分断面図。
【図３】上記実施例において実嵌合の途中の状態を示す部分断面図。
【図４】本発明に係る床材接合構造の他の実施例の実接合部における模型的部分断面図。
【図５】本発明の床材接合構造を用いて長方形床材を敷設した状態を示す部分平面図。
【符号の説明】
１          雄実
１１        雄実の嵌合突部
１２        嵌合突部の先端面
１３        嵌合突部の根元部における上側側面
１４        嵌合突部の根元部における下側側面
２          雌実
２１        雌実の嵌合穴
２２        嵌合穴の底部
２３        嵌合穴を形成する上側突壁
２４        上側突壁の端面
２５        嵌合穴を形成する下側突壁
２６        下側突壁の端面
３          上向きストッパー
４          係合凹所
４１        係合凹所の前側内側面
４２        係合凹所の後側内側面
５          Ｖ字溝
６          長方形床材
７          長方形床材の長手方向の接合部
８          長方形床材の短手方向の接合部
９          長方形床材の裏面シート
ｂ          内部隙間
ａ          膨張吸収隙間
α          Ｖ字溝の内角
【図１】
2004238919.tif 000003
【図２】
2004238919.tif 000004
【図３】
2004238919.tif 000005
【図４】
2004238919.tif 000006
【図５】
2004238919.tif 000007